(57)【要約】【課題】共通駆動回路として機能する従来の第３ドライブ回路を使用せずに、共通電圧の降下及び時間遅延による影響を防止する。共通電圧信号の時間遅延により発生する歪みを計算して補償する。【解決手段】スキャン配線124と、データ配線123と、薄膜トランジスタ121と、画素電極150と、スキャン配線124と平行に表示領域の外側部に配置された単一共通配線100と、単一共通配線100に設けられた第１連結端子130とを含む。共通線１００は、シルバードット１３０及び１３１を通して共通電極１１４に接続している。第２共通パッド２１０ｂは第１共通パッド２１０ａに接続されず、入力共通電圧及び出力共通電圧を検出することはなんら妨害を受けないので、第２共通パッド２１０ｂに印加される共通電圧の波形を計算することができる。表示領域の中心部で生じる共通電圧波形の歪みあるいは共通電圧の降下電圧の量を正確に計算することができる。【選択図】図５
2006171793.tif 000002
【特許請求の範囲】
【請求項１】
マトリクス状に配列された複数の能動素子及び画素電極と、前記能動素子に接続されたデータ配線及びスキャン配線と、前記マトリクス状配列の行方向又は列方向に沿って表示領域縁の一方の側に配置された第１共通配線（１００）とを含む第１基板と、
前記画素電極と対向する共通電極（１１４）を含む第２基板とを備える液晶表示装置において、
前記共通電極に共通電位を供給するために、前記第１共通配線は第１パッド（図５−２１０ａ又は図８−２１０ｂ）に接続されそして少なくとも表示領域の左・右又は上・下の箇所で前記共通電極に接続され、
表示領域の前記第１共通配線の配置されていない側の箇所に、前記共通電極に接続しているが前記共通配線に接続されていない第２パッド（図５−２１０ｂ、図８−２１０ａ）を有しており、及び
前記共通電圧が前記第１パッド又は前記第２パッドに印加されたとき、前記第１パッドと前記第２パッドとの間の電圧差に基いて、前記共通電極内で発生される電圧降下または遅延量が測定されるよう構成された液晶表示装置。
【請求項２】
前記第１共通配線は、前記表示領域の底面に設置されていることを特徴とする、請求項１記載の液晶表示装置。
【請求項３】
前記第１共通配線は、前記表示領域の右側に設置されていることを特徴とする、請求項１記載の液晶表示装置。
【請求項４】
前記共通電極と前記第１共通配線を接続するために、前記第１共通配線に設置された少なくとも一つの連結部材を含むことを特徴とする、請求項１記載の液晶表示装置。
【請求項５】
前記連結部材のうちの少なくともいずれかが、シルバードットであることを特徴とする、請求項４記載の液晶表示装置。
【請求項６】
前記第１共通配線（図９−１００）と分離形成されて、前記第２パッド（図９−２１０ｂ）に接続された第２共通配線（図９−１１０）を含むことを特徴とする請求項１記載の液晶表示装置。
【請求項７】
前記第１共通配線は前記画面領域の底面に沿って配置され、前記第２共通配線は前記画面領域の右側に沿って配置されたことを特徴とする、請求項６記載の液晶表示装置。
【請求項８】
前記第２共通配線は、前記第２共通配線を前記共通電極に連結するための複数の連結端子を含むことを特徴とする、請求項６記載の液晶表示装置。
【請求項９】
前記第１共通配線は、前記データ配線と略平行に延長されることを特徴とする、請求項６記載の液晶表示装置。
【請求項１０】
前記第２共通配線は、前記スキャン配線と略平行に延長されることを特徴とする、請求項６記載の液晶表示装置。
【請求項１１】
前記第１共通配線は、共通電極に接続された互いに分離形成された少なくとも二つのセグメントから構成されることを特徴とする、請求項６記載の液晶表示装置。
【請求項１２】
前記第１共通配線のセグメント上に少なくとも一つのシルバードットを含むことを特徴とする、請求項１１記載の液晶表示装置。
【請求項１３】
前記第２共通配線は、共通電極に接続された互いに分離形成された少なくとも二つのセグメントから構成されることを特徴とする、請求項６記載の液晶表示装置。
【請求項１４】
前記第２共通配線のセグメント上に少なくとも一つのシルバードットを含むことを特徴とする、請求項１３記載の液晶表示装置。
【発明の詳細な説明】
【技術分野】
【０００１】
本発明は、共通電圧の印加時に遅延時間のために生ずる共通電圧の歪みを発見することが出来る液晶表示装置の構造に関する。特に、本発明は、共通ドライブ装置を必要とせずに、そのような歪みが補正されるように共通電圧の歪みの量を検出できるように構成された共通配線を含む液晶表示装置に関する。
【背景技術】
【０００２】
図１に示すように従来の液晶表示装置は、上板11と下板10の二つの透明基板と、前記上板11と前記下板10との間に注入される液晶15を含む。前記下板10上には複数個のスキャン配線24と複数個のデータ配線23が互いに直交するように形成されており、前記スキャン配線24と前記データ配線23の交差部には薄膜トランジスタ21と画素電極20が形成されている。前記薄膜トランジスタ21はゲート電極25、ソース電極27及びドレイン電極29から構成されている。各々の前記ゲート電極25は前記一つのスキャン配線24に連結されており、各々の前記ソース電極27は前記一つのデータ配線23に連結されており、又各々の前記ドレイン電極29は各々の画素電極20に連結されている。図１には図示しないが、前記スキャン配線24の一端はスキャン駆動ICの出力電極に連結されており、各々の前記データ配線23の一端はデータ駆動ICの出力電極に連結されている。追加に前記下板10には外部装置から印加された共通信号が流れる共通配線の一部を形成することが出来る。
【０００３】
図１に示すように、前記上板11は共通電極14及びカラーフィルター13から構成されている。前記カラーフィルター13は、赤(Red)、緑(Green)、青(Blue)の三つのフィルターから構成されており、前記下板10の前記画素電極20に対向される位置に形成されている。前記共通電極14は前記カラーフィルター13上に形成されている。一般に前記共通電極14は、前記上板11の主表面の一つを覆う一体物で形成されている。又は、データ配線23、もしくはスキャン配線24に沿って配列された線状の複数個で形成される場合もある。
【０００４】
又、前記上板10及び前記下板10の間に注入された前記液晶物質15の分子配列方向は、前記画素電極20と前記共通電極14の間の電圧差によって変化される。前記スキャン配線24にスキャン電圧が印加される時、前記薄膜トランジスタ21は前記ゲート電極25に印加された電圧によって導通(on)される。この際、前記データ配線23に印加されたデータ電圧は前記ドレイン電極29に連結された前記画素電極20に前記データ電圧が印加されるように前記薄膜トランジスタ21のソース電極27からドレイン電極29に送られる。従って、前記共通電極14と前記画素電極20間に電圧差が発生する。液晶物質の分子配列方向の変化によって前記液晶表示装置が表示装置として機能することになる。
【０００５】
図２及び図３は、液晶表示装置においての共通電極の従来構造を示す。図２及び図３を参照し、前記スキャンドライバIC55の前記共通パッド59a、59b及び前記データドライバIC56は、前記上板11上に形成された前記共通電極14に、前記下板10のための共通電圧を印加する。前記共通電圧が前記シルバードット（Ag dot）40を通して前記共通電極14に供給されるようにシルバードット40は、前記共通電極14とスキャンドライバIC共通パッド59a及びデータドライバIC共通パッド59bが接触する前記下板10の４隅部に各々位置されている。
【０００６】
前述した従来の液晶表示装置において、前記シルバードットの近くに位置した前記共通電極14の一部で発生される共通電圧の波形は、前記シルバードットの遠くに位置した前記共通電極14の一部で発生する共通電圧の波形と違う（以下、この明細書において、この違いを「共通電圧の歪み」あるいは「歪曲」と表現する）。前記波形の差は、前記共通電極14の抵抗によって前記共通電圧の信号が遅延されるために発生する信号遅延による。従って、前記共通電極14を制御するための第３ドライブIC57を設置する必要がある。
【０００７】
第３駆動回路５７を使用せずに前記問題点を解決するための、図４に示した米国特許No.5,311,342の液晶表示装置では、延長された共通線３０は、LCDのマトリックス表示部の２つの近接する側面部に沿って連続的に形成されている。延長された共通電極線３０は、図４のマトリックス部の下左隅に位置するスキャンパッド部から図３のマトリックス部の上右隅に位置するデータパッド部へ連続的に延びるマトリックス表示部を囲み、スキャンバッド部及びデータパッド部が互いに接続されるようにしている。下パネル１０に形成された共通線３０と、図３の点線の正方形で示された上パネル１１に形成された共通電極１４は、シルバードット４０を通して互いに接続されている。加えて、共通線とは分離して形成された導電性配線５０は、共通電圧の時間遅れを減少させるために、共通電極１４に接続されている。
【発明の開示】
【発明が解決しようとする課題】
【０００８】
しかしながら、米国特許第5,311,342に記述された構造は、図４のマトリックス部の下左隅に位置するスキャンドライバIC共通パッド59aから図４のマトリックス部の上右隅に位置するデータドライバIC共通パッド59bへ延長された共通線により引き起こされる問題が生じる。共通線３０がデータパッド部とスキャンパッド部の間に連続的に延びているために、表示領域の中心の共通電圧の遅延時間の正確な量を検出することができない。そのため、時間遅延から生じる共通電圧の降下電圧の量を計算することができない。降下電圧を計算できないので、降下電圧を補償及び補正する方法がない。これらの問題のために、図４に示される装置により表示される画像にフリッカが発生したり、図４の装置に表示される画像のコントラスト及び輝度が均一でなくなったりする。
【０００９】
従って、前記共通電極の縁部分と中央部分から発生する信号遅延を正確に把握することが出来る共通電圧配線の構造が必要である。
【００１０】
本発明は、従来の共通駆動回路として機能する第３ドライブ回路を使用せずに、共通電圧の歪曲量、又は時間遅延を防止するための液晶表示装置を提供することを目的とする。
【００１１】
又、本発明は、前記共通配線に印加された共通電圧の歪曲を補償し、共通配線と共通電極で共通電圧信号の時間遅延から発生する共通電圧の歪曲量を計算するために配列された液晶表示装置を提供することを目的とする。
【課題を解決するための手段】
【００１２】
上記課題を解決するために、本発明に係る液晶表示装置は、マトリクス状に配列された複数の能動素子及び画素電極と、前記能動素子に接続されたデータ配線及びスキャン配線と、前記マトリクスの略中央部で共通電圧信号の電圧降下あるいは遅延の少なくともいずれかを測定するための単一共通配線とを含む第１基板と、前記画素電極と対向する共通電極を含む第２基板とを備える液晶表示装置において、前記共通電極に共通電位を供給するために、前記単一共通配線は少なくとも前記共通電極の端子のうちの少なくとも１つに接続されていることを特徴とする。
【００１３】
また、この発明に係る液晶表示装置は、マトリクス状に配列された複数の能動素子及び画素電極と、前記能動素子に接続されたデータ配線及びスキャン配線と、前記画素電極を含む液晶表示領域の４つの側のたかだか１つに沿って延長され、前記マトリクスの略中央部で共通電圧信号の電圧降下あるいは遅延の少なくともいずれかを測定するための単一共通配線と、前記単一共通配線上に設けられた少なくとも１つの連結部材とを含む下板と、前記連結部材を通して前記単一共通配線に接続される共通電極を含む上板とを備えるものである。
【００１４】
また、この発明に係る液晶表示装置は、マトリクス状に配列された複数の能動素子及び画素電極と、前記能動素子に接続されたデータ配線及びスキャン配線と、前記画素電極を含む液晶表示領域を囲むように設けられた第１共通配線及び第２共通配線と、前記第１共通配線及び第２共通配線上に設けられた複数の連結部材とを含む下板と、前記複数の連結部材を通して前記第１共通配線及び前記第２共通配線に接続される共通電極を含む上板とを備え、前記マトリクスの略中央部で生じる共通電圧信号の電圧降下あるいは遅延の少なくともいずれかを測定するために、前記第１共通配線及び前記第２共通配線は互いに離隔して設けられることを特徴とする。
【発明を実施するための最良の形態】
【００１５】
実施の形態１．
本発明の構造を図５R>５及び図６を用いて次の如く詳しく説明する。
【００１６】
本発明の実施の形態１は、複数個のスキャン配線124と複数個のデータ配線123とを含み、前記スキャン配線124と前記データ配線123との各々交差点で形成されている薄膜トランジスタ121と画素電極150を有する表示領域を含む。又本実施の形態は、前記スキャン配線124と平行に前記表示領域の外側部に配置された単一共通配線100を加えて含む。図５に示すように、前記単一共通配線100は、前記表示領域の底面に配置され、前記表示領域の下左隅部に位置した第１共通パッド210aに連結されている。追加に、前記単一共通配線100に沿った一部に、好ましくはシルバードットから構成される第１連結端子130が配置されている。第２連結パッド210bは前記表示領域の上右隅部に位置されるが、前記単一共通配線100には連結されていない。図６に示すように、下板１１２上に形成された共通線１００は、シルバードット１３０及び１３１を通して前記上板１１１に形成された共通電極１１４に接続している。
【００１７】
前記単一共通配線100は、下左隅の第１連結端子１３０から、表示領域の下側に沿って、第１連結端子１３０が位置するその下右隅へ延長される。電圧信号の歪曲を減らすために前記信号共通配線100に沿って前記第１連結端子は幾つでも形成することが出来る。図５に示すように、前記信号共通配線100は前記表示領域の右側に沿って延長されない。
【００１８】
共通電極114は、従来の画素電極14の同様に前記上板に形成されている。前記共通電極114は、前記単一共通配線100を通して前記表示領域の下右隅部に形成された前記第１連結端子130に連結されている。又、前記共通電極114は、共通電圧を供給するために前記第１共通パッド210a及び第２共通パッド210bに連結されている。前記共通電極114は、入力する共通電圧信号の遅延時間を減らすために形成されている導電配線120に連結されている。
【００１９】
前記液晶表示装置が最終的に製品として組み立てられる前、前記第１共通パッド210aを通して前記単一共通配線100に共通電圧が印加される。そして、前記共通電圧が前記共通電極114に印加され、最終に前記第２連結端子131を通して前記第２共通パッド210bに印加される。
【００２０】
図５に示すように、前記単一共通配線100の構造及び配列に関して、前記単一共通配線100は、前記表示領域の右側に沿って延長されず、又前記表示領域の上右側に位置された前記第２共通パッド210bに延長されない。このような配列の結果、共通線が第１及び第２の間に連続的に延びて共通パッドを互いに接続した先行技術とは異なり、第２共通パッド２１０ｂは第１共通パッド２１０ａに接続されず、これにより、入力共通電圧及び出力共通電圧を検出することはなんら妨害を受けないので、第２共通パッド２１０ｂに印加される共通電圧の波形は、計算することができる。従って、図５に示すような本発明の実施の形態での入力共通電圧を検出する第１共通パッド及び出力共通電圧を検出する第２共通パッドを使うことにより、表示領域の中心部で生じる共通電圧波形の歪みあるいは共通電圧の降下電圧の量を正確に計算することができる。このため、検出され計算された正確な共通電圧の歪みの量に対する補償のための装置は、導電性配線１２０に接続できるとともに、共通電圧歪みに対する補償する電圧の補正量を供給するために適用することができる。
【００２１】
従って、図５に示す前記単一共通配線100は、図４に示す従来装置の問題点を解決し、さらに従来に第３駆動回路として機能した第３ドライブ回路の要求をなくし、前記単一共通配線100により前記第１共通パッド210aに印加された共通電圧及び第２共通バッド210bに印加された出力共通電圧を検出することができ、印加される及び計算される出力共通電圧の間の相違を許容し、共通電極１１４に接続される導電性線１２０を介して共通電極に補償電圧を供給することにより、共通電圧の歪みを除去できる。このようなに歪曲電圧を正確に又容易に無くすことが出来るため、図５に示すような配列及び構造を有し、単一共通配線が形成された液晶表示装置はフリッカを減らし、均一な表示コントラスト及び明るさを得ることが出来る。
【００２２】
図５に示すように本実施の形態は、共通構造上に保持容量を有する。本実施の形態は、ゲート構造上に保持容量の配列を有することも出来る。図７は、ゲート構造上の保持上に単一共通配線100を有する液晶表示装置を示す。
【００２３】
実施の形態２〜８．
又、本発明の他の実施の形態について、図８−図１５を参照して以下に説明する。図８−図１５に示す各々の実施の形態は、図５に示したような効果と同一な効果が得られる。又これらの実施の形態は、液晶表示装置の共通構造上の保持、又はゲート構造上の保持に適用することも出来る。本実施の形態には、共通構造上の保持について説明したが、ゲート構造上の保持に適用することもできる。
【００２４】
実施の形態２．
図８は実施の形態２を示す。実施の形態２は、単一共通配線だけを含む。然し、図６−図１５に示す実施の形態の目的のために図４に示す前記単一共通配線100は、第１共通配線100として説明し、図８に示す単一共通配線110は第２共通配線110として以後に説明する。
【００２５】
図５に示す前記実施の形態１の第１共通配線100と図８に示す前記実施の形態２の第２共通配線110との差異点は、前記第２共通配線110が前記表示領域の右側に位置され、又前記第２共通パッド210bに連結されていることである。前記第２共通パッド210bは、それに沿って配置された複数の連結端子131を含む。
【００２６】
図８に示すように前記第２共通配線110は、前記表示領域の右側に沿って第２共通パッド210bから延長されるが、前記表示領域の底面からは延長されない。前記第１共通パッド210aは、単一第１連結端子130を含み、図５の実施の形態１に示すように前記表示領域の底面に沿っては延長されていない。
【００２７】
図８の実施の形態２では、表示領域の中央部での共通電圧の歪み量が計算できて前述のように補償できるように、第１共通パッド２１０ａは入力共通電圧を検出するために使うことができ、第２共通パッド２１０ｂは出力共通電圧を検出するように使うことができる。
【００２８】
単一共通線のみを含むこれら実施の形態により、より正確で信頼できる電圧降下の計算ができるので、図５−図７及び図８に示された実施の形態で示された単一共通線は、図９−図１５に示される実施の形態と比較される点を指摘しておく。
【００２９】
実施の形態３．
図９は、他の実施の形態を示す。図９に示すように、前記第１共通配線100は、前記表示領域の底面に位置されている。又、本実施の形態は、前記データ配線123と平行に表示領域の外側部に配置された第２共通配線110を含む。前記第２共通配線110は、図９に示すように前記表示領域の右部に沿って形成されている。
【００３０】
図９に示すように前記第１共通配線100及び前記第２共通配線110は、各々分離して形成され、連続に形成されてない。前記第１共通配線100と前記第２共通配線110間の分離は、図９に示すように、前記二つの共通配線100、110間の空間の形態で前記表示領域の下右隅部にある。前記空間は、第１共通線１００及び第２共通線１１０が連続して形成され、あるいは接続されることがないように形成されなければならず、これにより表示領域のほぼ中央部で生じる電圧降下の計測ができる。前記第１共通配線100及び前記第２共通配線110の配列及び構造の結果、前記表示領域の下左隅部に位置された前記第１共通パッド210aで印加された入力電圧を測定することが出来、又前記表示領域の上右隅部に位置された前記第２共通パッド210bで印加された出力電圧の結果を測定することが出来る。前記測定された二つの電圧間の差により、前記表示領域のほぼ中央部に発生する電圧降下を正確に測定することができる。前述のように、電圧降下は補償することが出来る。
【００３１】
図９及び図５−図１５に示すように共通電極114は、従来の共通電極14と同様に上板に配置されている。前記共通電極114は前記第１共通配線100を通して前記第１連結端子130に連結され、又前記第２共通配線110を通して前記第２連結端子131に連結されている。本実施の形態は、前記共通電極114に連結された導電配線120を加えて構成することが出来、又前記実施の形態１に記述した効果を得ることが可能である。
【００３２】
実施の形態４．
図１０は、図９の実施の形態から派生された他の実施の形態を示す。図１０に示すように本実施の形態４は、前記第１共通配線100及び前記第２共通配線110に連結された静電気防止回路200を加えて構成される。前記静電気防止回路200は、前記配線100、110間で高い電圧差が発生する時だけに前記第１共通配線100及び前記第２共通配線110に電気的に連結される。前記配線100、110間で電圧差が低い時、若しくは静電気が無い場合には、前記第１共通配線100及び前記第２共通配線110に電気的に分離されている。
【００３３】
実施の形態５．
図１１の実施の形態５は、図９に示す実施の形態より様々な前記第１共通配線100及び前記第２共通配線110の配列及び構造示す。本実施の形態は、前記第２共通配線110が占める領域は減られ、又前記第１共通配線100が占める領域は前記表示領域の右側に沿って延長し、又底面に沿って延長して増加された。然し、前記第１，第２共通配線100、110は、表示領域の中央部で発生する共通電圧の歪曲の正確な量を計算するために、前記第２共通パッド210bで測定するための出力電圧及び前記第１共通パッド210aで測定するための入力電圧のための空間のため、連結されていなく、分離されている。
【００３４】
実施の形態６．
又、図１２に示すように実施の形態６には前記第２共通配線110の領域は延長されることが出来、又前記第１共通配線100の領域を減らすことが出来る。従って本実施の形態には、前記第１共通配線100は表示領域の底面だけに沿って延長されており、前記第２共通配線110は表示領域の右部に沿って延長されると共に表示領域の底面にも沿って延長されている。然し、前記第１，第２共通配線100、110は、表示領域の中央部で発生する共通電圧の歪曲の正確な量を計算するために、前記第２共通パッド210bで測定するための出力電圧及び前記第１共通パッド210aで測定するための入力電圧のための空間のため、連結されていなく、分離されている。
【００３５】
従って、図１１及び図１２に示すように前記第１共通配線100及び前記第２共通配線110の形状は、前述したように電圧降下を正確に計算し、補償するために前記第１共通配線を所望のとおり長くすることが出来る。
【００３６】
実施の形態７．
又、本発明の実施の形態７は、図１３に示すように少なくとも二つの領域で分離され、又独立したセグメントから構成される前記第１共通配線100を含む。あるいは、図１４に示すように少なくとも二つの領域で分離され、又独立したセグメントから構成される前記第２共通配線110を含むことも出来る。図示しないが、前記第１共通配線100及び前記第２共通配線110を少なくとも二つの領域で分離し、独立したセグメントで構成することも出来る。
【００３７】
実施の形態８．
又、あるいは、図１５に示すように実施の形態８は、複数個で分離され、又特立のセグメントから前記第１共通配線100及び前記第２共通配線110を構成することも出来る。図１５には図示しないが、前記第１共通配線100及び前記第２共通配線110中の一つは複数個で分離され、又独立のセグメントから構成することが出来、前記第１共通配線100及び前記第２共通配線110中の他の一つは単一の独立的セグメントで構成されることが出来る。
【００３８】
前述の如く本発明の液晶表示装置は、単一共通配線、又は独立的に分離された第１、第２共通配線を有し、前記第１共通配線は共通電圧を印加するための第１パッドを含み、前記共通電圧を検査するための第２パッドを含む第２共通配線を提供する。前記単一共通配線、又は独立的に分離形成された第１、第２共通配線の配列及び構造の結果、入力及び出力共通電圧は正確に検出され、これらの間の差が正確に計算され、表示領域のほぼ中心部に存在する電圧歪みを補正するための補償電圧を供給することができる。従って、本発明による実施の形態は、従来の装置で使用された第３駆動回路の要求を無くし、共通電極に連結された導電配線を通して前記共通電極に補償電圧を印加して計算することにより、前記共通電圧の歪曲を解決することが出来る。その結果、本発明による実施の形態は、フリッカを無くし、コントラスト及び明るさのような、表示品質の均一性を獲得することが可能である。
【図面の簡単な説明】
【００３９】
【図１】従来の一般的な液晶表示装置の構造を示す斜視図。
【図２】従来の液晶表示装置の共通電極とドライバIC共通電極及びシルバードット(Ag dot)を示す平面図。
【図３】従来の液晶表示装置の共通電極とドライバIC共通電極及びシルバードット(Ag dot)を示す断面図。
【図４】従来の液晶表示装置の構造を示す平面図。
【図５】本発明の液晶表示装置において、単一共通配線だけを含み、共通構造上の保持容量を有する実施の形態１を示す平面図。
【図６】図５の本発明の実施の形態１の断面図。
【図７】本発明の液晶表示装置において、単一共通配線だけを含み、ゲート構造上の保持容量を有する実施の形態１を示す平面図。
【図８】本発明の液晶表示装置において、単一共通配線を含む実施の形態２を示す平面図。
【図９】本発明の液晶表示装置において、各々分離された第１共通電圧配線と第２共通電圧配線を含む実施の形態３を示す平面図。
【図１０】本発明の液晶表示装置において、各々分離された第１共通電圧配線と第２共通電圧配線及びそれらに連結された静電気防止回路を含む実施の形態４を示す平面図。
【図１１】本発明の液晶表示装置において、各々分離された第１共通電圧配線と第２共通電圧配線を含む実施の形態５を示す平面図。
【図１２】本発明の液晶表示装置において、各々分離された第１共通電圧配線と第２共通電圧配線を含む実施の形態６を示す平面図。
【図１３】本発明の液晶表示装置において、分離された二領域から構成される第１共通電圧配線を含む実施の形態７を示す平面図。
【図１４】本発明の液晶表示装置において、分離された二領域から構成される第２共通電圧配線を含む実施の形態８を示す平面図。
【図１５】本発明の液晶表示装置において、複数の違うセグメントから構成される第１共通電圧配線と第２共通電圧配線を含む実施の形態８を示す平面図。
【符号の説明】
【００４０】
１０ 下板
１１ 上板
１２ 偏光板
１３ カラーフィルター
１４ 共通電極
１５ 液晶
２０ 画素電極
２１ 薄膜トランジスタ
２３ データ配線
２４ スキャン配線
３０ 共通電圧配線
４０ シルバードット(Ag dot)
５０、１２０ 導電性配線
１００ 第１共通電圧配線
１１０ 第２共通電圧配線
１３０ 第１共通電圧配線のシルバードット
１３１ 第２共通電圧配線のシルバードット
１３４ 出力パットのシルバードット
２００ 静電気防止回路
２１０ 出力パット
【図１】
2006171793.tif 000003
【図２】
2006171793.tif 000004
【図３】
2006171793.tif 000005
【図４】
2006171793.tif 000006
【図５】
2006171793.tif 000007
【図６】
2006171793.tif 000008
【図７】
2006171793.tif 000009
【図８】
2006171793.tif 000010
【図９】
2006171793.tif 000011
【図１０】
2006171793.tif 000012
【図１１】
2006171793.tif 000013
【図１２】
2006171793.tif 000014
【図１３】
2006171793.tif 000015
【図１４】
2006171793.tif 000016
【図１５】
2006171793.tif 000017